(57)【要約】【課題】小棚を利用することにより、収容物品へのアクセス方法や、物品の収容形態を多様化できるとともに、棚装置を机と組み合わせて使用する際の使い勝手をよくするようにした、棚装置、および棚装置と机との組み合わせ家具を提供する。【解決手段】複数の水平板２、３、４を、それらの後端に固着した裏板５と、それらの前端両側部に固着した左右１対の前支柱６、６とによって支持することにより、前方と両側方とに開口するようにした棚本体７におけるいずれかの水平板上に、左右１対の側板１０、１０と、それらの後端同士を連結する背板１１と、左右の側板１０、１０間に架設した水平板１２とを備える小棚１３を、その開口１３ａの向きを前方と側方とのいずれに向けても載置可能とする。【選択図】  図１
2010022670.tif 000002
【特許請求の範囲】
【請求項１】
複数の水平板を、それらの後端に固着した裏板と、それらの前端両側部に固着した左右１対の前支柱とによって支持することにより、前方と両側方とに開口するようにした棚本体におけるいずれかの水平板上に、左右１対の側板と、それらの後端同士を連結する背板と、左右の側板間に架設した水平板とを備える小棚を、その開口の向きを前方と側方とのいずれに向けても載置可能としたことを特徴とする棚装置。
【請求項２】
小棚の左右方向の寸法と奥行き寸法とを同一とした請求項１記載の棚装置。
【請求項３】
小棚の左右方向の寸法と奥行き寸法と高さとを同一とした請求項１記載の棚装置。
【請求項４】
上下１対の水平板間の左右方向の中間部に、前後方向を向く仕切板を設け、この仕切板の両側方に、小棚収容空間を形成した請求項１〜３のいずれかに記載の棚装置。
【請求項５】
前支柱の後面に、小棚の側端部前面が当接することにより、小棚の前方への移動を阻止するようにした請求項１〜４のいずれかに記載の棚装置。
【請求項６】
前支柱の内側面に、小棚の前端部外側面が当接することにより、小棚の外側方への移動を阻止するようにした請求項１〜４のいずれかに記載の棚装置。
【請求項７】
内部に開口部を有する左右１対の側枠間に、天板を高さ調節可能として設けた机における左右いずれかの側枠の外側面に、請求項１〜６のいずれかに記載の棚装置における裏板を背中合わせとして組み合わせて使用しうるとともに、前記棚装置における左右１対の前支柱が、前記側枠の外側面前後部に当接または近接し、かつ前記裏板が外側に位置するようにして組み合わせても使用しうるようにしたことを特徴とする棚装置と机との組み合わせ家具。
【請求項８】
各側枠が、前後１対の脚杆と、それらの上端部同士、および下端部同士を連結する前後連結杆とを備え、それらの内部を開口部とし、かつ前後の脚杆により、天板を高さ調節可能として支持するようにした請求項７記載の棚装置と机との組み合わせ家具。
【請求項９】
各側枠が、前後１対の脚杆と、それらの上端部同士、および下端部同士を連結する前後連結杆と、前後の脚杆のほぼ上半部間に架設した側板とを備え、前記側板の下端と前後の脚杆と下方の前後連結杆とによって開口部を形成し、かつ左右の側板により、天板を高さ調節可能として支持するようにした請求項７記載の棚装置と机との組み合わせ家具。
【請求項１０】
机の側枠の高さおよび奥行き寸法を、棚装置における裏板の高さおよび左右方向の寸法とほぼ同一とした請求項７〜９のいずれかに記載の棚装置と机との組み合わせ家具。
【発明の詳細な説明】
【技術分野】
【０００１】
本発明は、棚装置、および棚装置と机との組み合わせ家具に関する。
【背景技術】
【０００２】
従来の棚装置には、上下多段状の棚板のいずれかに、小物を効率よく収容するための小棚を載置したものがある（例えば、特許文献１参照）。
また、学習机等においては、棚装置を、机上に取り付けて上棚としたり、机の側面に配設したり、種々の組み合わせができるようにしたものもある（例えば、特許文献２または３参照）。
【特許文献１】特開２００１−１６９８４５号公報
【特許文献２】特開２００１−３１４２４０号公報
【特許文献３】特開２００８−６２６１号公報
【発明の開示】
【発明が解決しようとする課題】
【０００３】
しかし、特許文献１〜３のいずれに記載されているものも、物品を棚装置の正面から出し入れすることしか考えておらず、収容物品へのアクセス方法や、物品の収容形態の多様性に乏しく、特に、棚装置を机と組み合わせて使用する際のバリエーションが制限されている。
【０００４】
本発明は、従来の技術が有する上記のような問題点に鑑み、小棚を利用することにより、収容物品へのアクセス方法や、物品の収容形態を多様化できるとともに、棚装置を机と組み合わせて使用する際の使い勝手をよくするようにした、棚装置、および棚装置と机との組み合わせ家具を提供することを目的としている。
【課題を解決するための手段】
【０００５】
本発明によると、上記課題は、次のようにして解決される。
(１)  棚装置において、複数の水平板を、それらの後端に固着した裏板と、それらの前端両側部に固着した左右１対の前支柱とによって支持することにより、前方と両側方とに開口するようにした棚本体におけるいずれかの水平板上に、左右１対の側板と、それらの後端同士を連結する背板と、左右の側板間に架設した水平板とを備える小棚を、その開口の向きを前方と側方とのいずれに向けても載置可能とする。
【０００６】
このような構成とすると、小棚を、その開口が前方を向くようにして棚本体におけるいずれかの水平板上に載置したり、開口が側方を向くようにして棚本体におけるいずれかの水平板上に載置したりすることにより、小棚内に収容された物品を、棚本体の前方から出し入れしうるようにしたり、側方から出し入れしうるようにすることができ、収容物品へのアクセス方法や、物品の収容形態を多様化することができる。
【０００７】
(２)  上記(１)項において、小棚の左右方向の寸法と奥行き寸法とを同一とする。
【０００８】
このような構成とすると、小棚を、開口の向きを前方と側方とのいずれの向きとしても、棚本体における小棚の専有空間は変わらないので、使い勝手がよい。
【０００９】
(３)  上記(１)または(２)項において、小棚の左右方向の寸法と奥行き寸法と高さとを同一とする。
【００１０】
このような構成とすると、小棚の開口の向きを、前方と側方とのいずれの向きとすることもできるとともに、水平板を上下方向に向けて縦仕切りとしても使用することができ、しかも、いずれの場合にも、棚本体における小棚の専有空間は変わらないので、使い勝手がよい。
【００１１】
(４)  上記(１)〜(３)項のいずれかにおいて、上下１対の水平板間の左右方向の中間部に、前後方向を向く仕切板を設け、この仕切板の両側方に、小棚収容空間を形成する。
【００１２】
このような構成とすると、仕切板の両側方に、小棚収容空間を形成することができ、そのそれぞれに、小棚を、その開口が互いに独自の方向を向くようにして配設することができ、収容物品へのアクセス方法や、物品の収容形態を、より多様化することができる。
【００１３】
(５)  上記(１)〜(４)項のいずれかにおいて、前支柱の後面に、小棚の側端部前面が当接することにより、小棚の前方への移動を阻止するようにする。
【００１４】
このような構成とすると、小棚の前方への移動が、前支柱によって阻止されるので、小棚が、振動等により、妄りに前方へ移動したり、さらに、水平板から前方に落下したりするのを防止することができる。
【００１５】
(６)  上記(１)〜(４)項のいずれかにおいて、前支柱の内側面に、小棚の前端部外側面が当接することにより、小棚の外側方への移動を阻止するようにする。
【００１６】
このような構成とすると、小棚の外側方への移動が、前支柱によって阻止されるので、小棚が、振動等により、妄りに外側方へ移動したり、さらに、水平板から外側方に落下したりするのを防止することができる。
【００１７】
(７)  内部に開口部を有する左右１対の側枠間に、天板を高さ調節可能として設けた机における左右いずれかの側枠の外側面に、上記(１)〜(６)項のいずれかに記載の棚装置における裏板を背中合わせとして組み合わせて使用しうるとともに、前記棚装置における左右１対の前支柱が、前記側枠の外側面前後部に当接または近接し、かつ前記裏板が外側に位置するようにして組み合わせても使用しうるようにする。
【００１８】
このような構成とすると、机における左右いずれかの側枠の外側面に、棚装置における裏板を背中合わせとして組み合わせて使用するときは、棚装置内の収容物を、机から見て、外側方と前方と後方から出し入れすることができ、また、棚装置における左右１対の前支柱が、机における側枠の外側面前後部に当接または近接し、かつ裏板が外側に位置するようにして組み合わせて使用するときは、棚装置内の収容物を、側枠の開口部を通して、机の内方から出し入れすることができるとともに、前方および後方からも出し入れすることができる。
さらに、棚装置内の小棚の向きを選択することにより、棚装置内の収容物を出し入れできる方向を、多様化することができる。
例えば、机の一方の側面と、室内の側壁との間に棚装置を挟んで配設し、棚装置内の収容物を、机の内側から出し入れ可能としたり、前方から出し入れ可能としたりすることができる。
【００１９】
(８)  上記(７)項において、各側枠が、前後１対の脚杆と、それらの上端部同士、および下端部同士を連結する前後連結杆とを備え、それらの内部を開口部とし、かつ前後の脚杆により、天板を高さ調節可能として支持するようにする。
【００２０】
このような構成とすると、各側枠に大きな開口部を形成することができ、側枠の外側に配設した棚装置への机の内方からのアクセスを容易にすることができる。
【００２１】
(９)  上記(７)項において、各側枠が、前後１対の脚杆と、それらの上端部同士、および下端部同士を連結する前後連結杆と、前後の脚杆のほぼ上半部間に架設した側板とを備え、前記側板の下端と前後の脚杆と下方の前後連結杆とによって開口部を形成し、かつ左右の側板により、天板を高さ調節可能として支持するようにする。
【００２２】
このような構成とすると、左右の側板により、天板を安定よく、高さ調節可能として支持することができるとともに、側枠の下半部に形成された開口部を利用して、側枠の外側に配設した棚装置へも、机の内方からアクセスすることができ、さらに、棚装置内の小棚の向きを選択することにより、棚装置内の収容物を出し入れできる方向を、多様化することができる。
例えば、机の一方の側面と、室内の側壁との間に、棚装置を、その裏板が側壁寄りとなるようにして挟んで配設し、側板によって内側面上部が閉塞された棚装置の上半部においては、小棚を前方を向くようにして、前方から収容物品を出し入れしうるようにし、かつ机の側枠の下半部に形成された開口部を介して、机の内方からアクセスできる棚装置の下半部においては、小棚を机側を向くようにして、机の内側から棚装置内の収容物を出し入れできるようにすることができる。
【００２３】
(１０)  上記(７)〜(９)項のいずれかにおいて、机の側枠の高さおよび奥行き寸法を、棚装置における裏板の高さおよび左右方向の寸法とほぼ同一とする。
【００２４】
このような構成とすると、棚装置を、どのような向きとして、机の側枠の外側方に配設しても、裏板と机の側枠との高さと、場合によっては奥行きとが揃い、体裁をよくすることができる。
【発明の効果】
【００２５】
本発明によると、小棚を利用することにより、収容物品へのアクセス方法や、物品の収容形態を多様化できるとともに、棚装置を机と組み合わせて使用する際の使い勝手をよくするようにした棚装置、および棚装置と机との組み合わせ家具を提供することができる。
【発明を実施するための最良の形態】
【００２６】
以下、本発明の一実施形態を、添付図面を参照して説明する。  
図１は、本発明の棚装置の一実施形態の分解斜視図である。
この棚装置１は、３枚の水平板２、３、４を、それらの後端に固着した裏板５と、それらの前端両側部に固着した左右１対の前支柱６とによって支持することにより、前方と両側方とに開口するようにした上下２段の棚本体７を備えている。
最上段の水平板２は天板をなし、中段の水平板３は中間の棚板をなし、最下段の水平板４は、底板またはベース棚板をなしている。なお、水平板を、２枚または４枚以上とすることもできる。
【００２７】
水平板２と３の間、および水平板３と４の間における左右方向の中間部には、前後方向を向く仕切板８が設けられており、この仕切板８の両側方には、図２に示すような平面視正方形の小棚収容空間９が形成されている。
【００２８】
各小棚収容空間９には、左右１対の側板１０、１０と、それらの後端同士を連結する背板１１と、左右の側板１０、１０の上下方向の中間部間に架設した小棚板をなす水平板１２とを備える小棚１３が、その開口１３ａを前方と側方とのいずれに向けても載置可能として、着脱自在に嵌合されている。
【００２９】
小棚１３を、その開口１３ａを前方と側方とのいずれの方向に向けても、水平板３、４上に載置しうるようにするため、小棚１３の左右方向の幅ｗと、奥行きＤとを互いに同一とし、小棚１３を平面視正方形としてある。また、小棚１３の高さＨは、水平板２と３の間、および水平板３と４の間の上下間隔ｈと同一としてある。
【００３０】
さらに、小棚１３の高さＨを、小棚１３の左右方向の幅ｗ、および奥行きＤと同一として、小棚１３を立方体とすると、小棚１３の開口１３ａの向きを、前方と側方とのいずれの向きとすることができるだけでなく、水平板１２を上下方向に向けて縦仕切りとしても使用することができ、しかも、いずれの場合にも、棚本体７における小棚１３の専有空間は変わらないので、使い勝手がよい。
【００３１】
図３に示すように、前支柱６の後面に、小棚１３の側端部前面が当接するようにすることによって、小棚１３の前方への移動を阻止するようにしてある。
すなわち、平面視正方形とした小棚収容空間９の外側端前部に、前支柱６が位置するようにしてある。
【００３２】
したがって、小棚１３は、棚本体７の両側方から、所望の小棚収容空間９へ出し入れできるが、棚本体７の前方からは、出し入れできないようになっている。
【００３３】
図１に示す例では、棚本体７には、上下２段、左右２個ずつの合計４個の小棚収容空間９が形成されており、各小棚収容空間９に、小棚１３を前方に向けて嵌合したり(図１の左方の小棚１３参照)、小棚１３を外側方に向けて嵌合したり(図１の右方の小棚１３参照)、または小棚１３を全く設けないままとしたりして、その３つの態様を選択することにより、棚本体７内の物品の収容形態を多様化することができる。
【００３４】
図４は、本発明の棚装置と机との組み合わせ家具の一実施形態の分解斜視図である。
棚装置１は、上述したものと同一である。
机１４は、左右１対の側枠１５、１５間に、天板１６を高さ調節可能として設けたものよりなっている。
【００３５】
各側枠１５は、前後１対の脚杆１７、１７と、それらの上端部同士、および下端部同士を連結する前後連結杆１８、１９と、前後の脚杆のほぼ上半部間に架設した側板２０とを備え、この側板２０の下端と前後の脚杆１７、１７と下方の前後連結杆１９とによって、側枠１５の下半部に開口部２１が形成されている。
【００３６】
後部の左右の脚杆１７、１７の上端部同士は、左右方向を向く横連結杆２２をもって互いに連結され、また後部の左右の脚杆１７、１７のほぼ上半部間には、左右方向を向く後面板２３が架設されている。
【００３７】
左右の側板２０、２０の前後部と、後面板２３の中央部とには、複数の高さ調節孔２４が、上下方向に適宜の間隔をもって、かつ互いに対応するものが等高をなすようにして設けられており、天板１６を側板２０および後面板２３に固定するボルトその他の固定具(図示略)を、どの段の高さ調節孔２４に係合させるかによって、天板１６の高さを所要範囲に亘って段階的に調節することができるようになっている。
図５は、天板１６を下限位置に取り付けた状態を、図６は、同じく上限位置に取り付けた状態を示している。
【００３８】
机１４の側枠１５の高さおよび奥行き寸法は、棚装置１における裏板５の高さおよび左右方向の寸法とほぼ同一としてある。
【００３９】
このような机１４と棚装置１とを組み合わせて使用するには、例えば、机１４の一側方に、棚装置１を、図４に実線で示すように、前方を向くようにして配設したり、図４に２点鎖線(右方のもの)で示すととともに、図５に示すように、棚装置１における裏板５を、机１４の一方の側枠１５の外側面に、背中合わせとして、棚装置１と机１４とを組み合わせて配設したり、図４に２点鎖線(左方のもの)で示すととともに、図６に示すように、棚装置１における左右１対の前支柱６、６が、机１４の一方の側枠１５における外側面前後部に当接または近接し、かつ裏板５が外側に位置するようにして、棚装置１と机１４とを組み合わせて配設したりすることができる。
【００４０】
図５に示す使用態様においては、棚装置１における後方の上下の小棚収容空間９には、小棚１３を、その開口１３ａが外側方を向くようにして、後方から嵌合して使用することができ、また、前方の上下の小棚収容空間９には、小棚１３を、その開口１３ａが外側方、または前方を向くようにして、前方から嵌合して使用することができる。
【００４１】
図６に示す使用態様においては、棚装置１における後下方の小棚収容空間９には、小棚１３を、その開口１３ａが内側方、すなわち机１４の方向を向くようにして、後方から嵌合して使用することができる。このとき、小棚１３に収容された物品は、机１４における左方の側枠１５の開口部２１を通して、天板１６の下方において、出し入れすることができる。
【００４２】
棚装置１における前方の上下の小棚収容空間９には、小棚１３を、その開口１３ａが内側方、または前方を向くようにして、前方から嵌合して使用することができる。
【００４３】
図６に示す使用態様においては、棚装置１の左端を、室内の側壁に当接または近接させて使用する場合が多く、このような場合には、棚装置１における後上方の空間は両側が閉塞されるため、アクセスは、後方のみからとなる。
【００４４】
したがって、この棚装置１と机１４との組み合わせ家具によると、小棚１３を利用することにより、収容物品へのアクセス方法や、物品の収容形態を多様化できるとともに、使い勝手をよくすることができる。
【００４５】
本発明は、上記実施形態に限定されるもではなく、例えば、次のような変形した態様での実施が可能である。
(１)  図７に示すように、前支柱６、６の内側面に、小棚１３の前端部外側面が当接することにより、小棚１３の外側方への移動を阻止するようにし、小棚１３が、振動等により、妄りに外側方へ移動したり、さらに、水平板３、４から外側方に落下したりするのを防止するようにする。
(２)  机１４の各側枠１５から、側板２０を省略し、前後の脚杆１７、１７に高さ調節孔２４と同様のものを設けて、前後の脚杆１７、１７により、天板１６を高さ調節可能として支持するようにする。
このようにすると、開口部２１を大とすることができ、図６に示すような使用態様としたとき、天板１６の下方から、棚装置１における上段の収容物品をも、この開口部２１を通して出し入れすることができる。
また、この状態から、天板１６の取り付け高さを低くしたときには、天板１６の上方において、棚装置１における上段の収容物品を、開口部２１を通して出し入れすることができる。
(３)  小棚１３における背板１１と、棚本体７における仕切板８とのいずれか一方を省略して実施する。
(４)  水平板２、３、４の左右方向の寸法を、１個または３個以上の小棚収容空間９を形成するに十分な長さとする。３個以上の小棚収容空間９を形成する場合は、それらの相互間に、仕切板８を設ける。
【図面の簡単な説明】
【００４６】
【図１】本発明の棚装置の一実施形態の分解斜視図である。
【図２】同じく、分解横断平面図である。
【図３】同じく、左右の小棚を小棚収容空間に嵌合した横断平面図である。
【図４】本発明の棚装置と机との組み合わせ家具の一実施形態の分解斜視図である。
【図５】同じく、一使用態様を示す斜視図である。
【図６】同じく、別の使用態様を示す斜視図である。
【図７】変形例における、図３と同様の横断平面図である。
【符号の説明】
【００４７】
１  棚装置
２、３、４  水平板
５  裏板
６  前支柱
７  棚本体
８  仕切板
９  小棚収容空間
１０  側板
１１  背板
１２  水平板
１３  小棚
１３ａ開口
１４  机
１５  側枠
１６  天板
１７  脚杆
１８、１９  前後連結杆
２０  側板
２１  開口部
２２  横連結杆
２３  後面板
２４  高さ調節孔
Ｄ  奥行き
Ｈ  高さ
ｈ  上下間隔
Ｗ  幅
【図１】
2010022670.tif 000003
【図２】
2010022670.tif 000004
【図３】
2010022670.tif 000005
【図４】
2010022670.tif 000006
【図５】
2010022670.tif 000007
【図６】
2010022670.tif 000008
【図７】
2010022670.tif 000009